【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
画像形成装置と通信可能な情報処理装置であって、
前記情報処理装置の設置場所を示す第１属性情報を設定する設定手段と、
前記設定手段によって設定された第１属性情報が第１設置場所を示す場合、ユーザのインストール指示を受け付けることなく前記画像形成装置のデバイスドライバをインストールする自動インストール方法を実行することを選択し、前記設定手段によって設定された第１属性情報が第２設置場所を示す場合、ユーザのインストール指示に従って前記デバイスドライバをインストールする手動インストール方法を実行することを選択する選択手段とを備えることを特徴とする情報処理装置。
【請求項２】
前記画像形成装置の設置場所を示す第２属性情報を受信する受信手段を更に有し、
前記選択手段は、前記受信手段によって受信された第２属性情報と前記第１属性情報とを用いてインストール方法を選択することを特徴とする請求項１に記載の情報処理装置。
【請求項３】
前記受信手段は、前記画像形成装置の種別を示す種別情報を更に取得し、
前記選択手段は、前記種別情報と前記第１および第２属性情報とを用いて前記デバイスドライバのインストール方法を選択することを特徴とする請求項２に記載の情報処理装置。
【請求項４】
前記選択手段によって選択されたインストール方法を用いて前記デバイスドライバをインストールするインストール手段を更に有し、
前記インストール手段は、前記選択手段によって前記自動インストール方法を実行することが選択された場合、前記画像形成装置から送信された前記デバイスドライバの格納場所を示す格納情報を用いて前記デバイスドライバをインストールすることを特徴とする請求項１乃至３のいずれか１項に記載の情報処理装置。
【請求項５】
前記選択手段によって前記自動インストール方法を実行することが選択された場合、前記情報処理装置の識別情報と前記画像形成装置の識別情報とを用いて当該自動インストール方法を実行すべきか否かを決定する決定手段を更に備えることを特徴とする請求項２に記載の情報処理装置。
【請求項６】
画像形成装置と通信可能な情報処理装置における制御方法であって、
前記情報処理装置の設置場所を示す第１属性情報の設定を受け付ける設定工程と、
前記設定工程によって受け付けられた第１属性情報が第１設置場所を示す場合、ユーザのインストール指示を受け付けることなく前記画像形成装置のデバイスドライバをインストールする自動インストール方法を実行することを選択し、前記設定工程によって受け付けられた第１属性情報が第２設置場所を示す場合、ユーザのインストール指示に従って前記デバイスドライバをインストールする手動インストール方法を実行することを選択する選択工程とを備えることを特徴とする制御方法。
【請求項７】
前記画像形成装置の設置場所を示す第２属性情報を受信する受信工程を更に有し、
前記選択工程は、前記受信工程によって受信された第２属性情報と前記第１属性情報とを用いてインストール方法を選択することを特徴とする請求項６に記載の制御方法。
【請求項８】
前記受信工程は、前記画像形成装置の種別を示す種別情報を更に取得し、
前記選択工程は、前記種別情報と前記第１および第２属性情報とを用いて前記デバイスドライバのインストール方法を選択することを特徴とする請求項７に記載の制御方法。
【請求項９】
前記選択工程によって選択されたインストール方法を用いて前記デバイスドライバをインストールするインストール工程を更に有し、
前記インストール工程は、前記選択工程によって前記自動インストール方法を実行することが選択された場合、前記画像形成装置から送信された前記デバイスドライバの格納場所を示す格納情報を用いて前記デバイスドライバをインストールすることを特徴とする請求項６乃至８のいずれか１項に記載の制御方法。
【請求項１０】
前記選択工程によって前記自動インストール方法を実行することが選択された場合、前記情報処理装置の識別情報と前記画像形成装置の識別情報とを用いて当該自動インストール方法を実行すべきか否かを決定する決定工程を更に備えることを特徴とする請求項７に記載の制御方法。
【請求項１１】
画像形成装置と通信可能な情報処理装置を、
前記情報処理装置の設置場所を示す第１属性情報を設定する設定手段と、
前記設定工程によって設定された第１属性情報が第１設置場所を示す場合、ユーザのインストール指示を受け付けることなく前記画像形成装置のデバイスドライバをインストールする自動インストール方法を実行することを選択し、前記設定工程によって設定された第１属性情報が第２設置場所を示す場合、ユーザのインストール指示に従って前記デバイスドライバをインストールする手動インストール方法を実行することを選択する選択手段として機能させることを特徴とする制御プログラム。
【請求項１２】
前記画像形成装置の設置場所を示す第２属性情報を受信する受信手段を更に有し、
前記選択手段は、前記受信手段によって受信された第２属性情報と前記第１属性情報とを用いてインストール方法を選択することを特徴とする請求項１１に記載の制御プログラム。
【請求項１３】
前記受信手段は、前記画像形成装置の種別を示す種別情報を更に取得し、
前記選択手段は、前記種別情報と前記第１および第２属性情報とを用いて前記デバイスドライバのインストール方法を選択することを特徴とする請求項１２に記載の制御プログラム。
【請求項１４】
前記選択手段によって選択されたインストール方法を用いて前記デバイスドライバをインストールするインストール手段を更に有し、
前記インストール手段は、前記選択手段によって前記自動インストール方法を実行することが選択された場合、前記画像形成装置から送信された前記デバイスドライバの格納場所を示す格納情報を用いて前記デバイスドライバをインストールすることを特徴とする請求項１１乃至１３のいずれか１項に記載の制御プログラム。
【請求項１５】
前記選択手段によって前記自動インストール方法を実行することが選択された場合、前記情報処理装置の識別情報と前記画像形成装置の識別情報とを用いて当該自動インストール方法を実行すべきか否かを決定する決定手段を更に備えることを特徴とする請求項１２に記載の制御プログラム。
【請求項１６】
自動インストール方法を実行する時に、画像形成装置に関する情報を表示することを特徴とする請求項１に記載の情報処理装置。
【請求項１７】
画像形成装置に関する情報として、製造業者名、モデル名、画像の内の少なくとも１つを含むことを特徴とする請求項１６に記載の情報処理装置。
【請求項１８】
自動インストール方法を実行する時に、画像形成装置に関する情報を表示することを特徴とする請求項６に記載の制御方法。
【請求項１９】
画像形成装置に関する情報として、製造業者名、モデル名、画像の内の少なくとも１つを含むことを特徴とする請求項１８に記載の制御方法。
【請求項２０】
自動インストール方法を実行する時に、画像形成装置に関する情報を表示することを特徴とする請求項１１に記載の制御プログラム。
【請求項２１】
画像形成装置に関する情報として、製造業者名、モデル名、画像の内の少なくとも１つを含むことを特徴とする請求項２０に記載の制御プログラム。
【請求項２２】
前記選択手段は、前記情報処理装置が複数の画像形成装置と通信できる場合、前記手動インストール方法を実行することを選択し、前記情報処理装置が１台の画像形成装置と通信できる場合、前記自動インストール方法を実行することを選択する請求項１乃至５のいずれか１項に記載の情報処理装置。
【請求項２３】
前記選択工程は、前記情報処理装置が複数の画像形成装置と通信できる場合、前記手動インストール方法を実行することを選択し、前記情報処理装置が１台の画像形成装置と通信できる場合、前記自動インストール方法を実行することを選択する請求項６乃至１０のいずれか１項に記載の制御方法。
【請求項２４】
前記選択手段は、前記情報処理装置が複数の画像形成装置と通信できる場合、前記手動インストール方法を実行することを選択し、前記情報処理装置が１台の画像形成装置と通信できる場合、前記自動インストール方法を実行することを選択する請求項１１乃至１５のいずれか１項に記載の制御プログラム。